(57)【特許請求の範囲】
【請求項１】
刈払機本体の駆動軸に連結され、前記駆動軸と一体に回転する支持ケースと、
前記支持ケースに着脱自在に装着され、前記駆動軸及び前記支持ケースと一体に回転するボビンと、を備え、
前記支持ケースは、その内部に前記駆動軸が挿し通される筒状部と、前記筒状部の下部から径方向外側に延出されたフランジ部と、前記フランジ部に貫通形成された複数の引出し孔と、を有し、
前記ボビンは、前記筒状部の外周面に対して着脱自在に当接する内周面と、前記内周面とは反対側を向き、可撓性の線状カッターが巻き付けられる外周面と、を有し、
前記ボビンは、前記内周面が前記筒状部の前記外周面と当接するように前記筒状部に装着された状態で、前記外周面に巻き付けられた前記線状カッターの両端部が、前記複数の引出し孔のうち二つの引出し孔を通じて、径方向外側に引き出されるように構成されており、
前記ボビンは、前記筒状部に装着された状態で、前記筒状部の前記外周面に対して弾性的に押し当る弾性体を、更に有する
回転体。
【請求項２】
前記ボビンは、前記弾性体が径方向外側に撓むことを許容する溝を、更に有する
請求項１の回転体。
【請求項３】
前記ボビンは、前記弾性体を周方向に距離をあけて複数有する
請求項１の回転体。
【請求項４】
前記ボビンは、前記複数の弾性体のそれぞれが径方向外側に撓むことを許容する複数の溝を、更に有する
請求項３の回転体。
【請求項５】
前記ボビンの前記内周面には、前記ボビンの前記筒状部への装着をガイドする凸状又は凹状の複数のガイド部分が設けられている
請求項１から４のいずれか一項の回転体。
【請求項６】
前記ボビンの前記内周面には、前記ボビンの前記筒状部への装着をガイドする凸状又は凹状の複数のガイド部分が設けられており、
前記複数の弾性体と前記複数のガイド部分は、周方向において交互に位置する
請求項３又は４の回転体。
【請求項７】
前記ボビンは、前記内周面及び前記外周面が形成された筒状のボビン本体と、前記ボビン本体の上部分から径方向外側に延出された複数の上側突部と、前記ボビン本体の下部分から径方向外側に延出された複数の下側突部と、を更に有する
請求項１から６のいずれか一項の回転体。
【請求項８】
前記ボビンの中心軸に沿って見たとき、前記複数の上側突部と、前記複数の下側突部は、周方向において交互に位置する
請求項７の回転体。
【請求項９】
刈払機本体の駆動軸に連結され、前記駆動軸と一体に回転する支持ケースと、
前記支持ケースに着脱自在に装着され、前記駆動軸及び前記支持ケースと一体に回転するボビンと、を備え、
前記支持ケースは、その内部に前記駆動軸が挿し通される筒状部と、前記筒状部の下部から径方向外側に延出されたフランジ部と、前記フランジ部に貫通形成された複数の引出し孔と、を有し、
前記ボビンは、前記筒状部の外周面に対して着脱自在に当接する内周面と、前記内周面とは反対側を向き、可撓性の線状カッターが巻き付けられる外周面と、を有し、
前記ボビンは、前記内周面が前記筒状部の前記外周面と当接するように前記筒状部に装着された状態で、前記外周面に巻き付けられた前記線状カッターの両端部が、前記複数の引出し孔のうち二つの引出し孔を通じて、径方向外側に引き出されるように構成されており、
前記ボビンは、前記内周面及び前記外周面が形成された筒状のボビン本体と、前記ボビン本体の上部分から径方向外側に延出された複数の上側突部と、を更に有し、
前記複数の上側突部のうち少なくとも二つの上側突部には、前記線状カッターの端部を引っ掛けるための引掛溝が形成されている
回転体。
【請求項１０】
刈払機本体の駆動軸に連結され、前記駆動軸と一体に回転する支持ケースと、
前記支持ケースに着脱自在に装着され、前記駆動軸及び前記支持ケースと一体に回転するボビンと、を備え、
前記支持ケースは、その内部に前記駆動軸が挿し通される筒状部と、前記筒状部の下部から径方向外側に延出されたフランジ部と、前記フランジ部に貫通形成された複数の引出し孔と、を有し、
前記ボビンは、前記筒状部の外周面に対して着脱自在に当接する内周面と、前記内周面とは反対側を向き、可撓性の線状カッターが巻き付けられる外周面と、を有し、
前記ボビンは、前記内周面が前記筒状部の前記外周面と当接するように前記筒状部に装着された状態で、前記外周面に巻き付けられた前記線状カッターの両端部が、前記複数の引出し孔のうち二つの引出し孔を通じて、径方向外側に引き出されるように構成されており、
前記ボビンは、前記内周面及び前記外周面が形成された筒状のボビン本体と、前記ボビン本体の下部分から径方向外側に延出された複数の下側突部と、を更に有し、
前記複数の下側突部のうち少なくとも一つの下側突部に、前記線状カッターを挿し通してその中央部分を引っ掛けるための引掛孔が形成されている
回転体。
【請求項１１】
前記支持ケースは、合成樹脂製の前記筒状部と、合成樹脂製の前記フランジ部と、前記筒状部の上部に連結される金具と、を有し、
前記金具は、前記駆動軸が挿し通される挿通孔を有する
請求項１から１０のいずれか一項の回転体。
【請求項１２】
刈払機本体の駆動軸に連結され、前記駆動軸と一体に回転する支持ケースと、
前記支持ケースに着脱自在に装着され、前記駆動軸及び前記支持ケースと一体に回転するボビンと、を備え、
前記支持ケースは、その内部に前記駆動軸が挿し通される筒状部と、前記筒状部の下部から径方向外側に延出されたフランジ部と、前記フランジ部に貫通形成された複数の引出し孔と、を有し、
前記ボビンは、前記筒状部の外周面に対して着脱自在に当接する内周面と、前記内周面とは反対側を向き、可撓性の線状カッターが巻き付けられる外周面と、を有し、
前記ボビンは、前記内周面が前記筒状部の前記外周面と当接するように前記筒状部に装着された状態で、前記外周面に巻き付けられた前記線状カッターの両端部が、前記複数の引出し孔のうち二つの引出し孔を通じて、径方向外側に引き出されるように構成されており、
前記ボビンは、前記内周面及び前記外周面が形成された筒状のボビン本体と、前記ボビン本体から径方向外側に延出された複数の突部と、前記ボビン本体が前記筒状部に装着された状態で、前記筒状部の前記外周面に対して弾性的に押し当る弾性体と、前記弾性体が径方向外側に撓むことを許容する溝と、を更に有し、
前記弾性体及び前記溝は、前記複数の突部のうち対応する突部の径方向内側に位置する
回転体。
【請求項１３】
請求項１から１２のいずれか一項の回転体と、
前記回転体が連結される前記駆動軸を有する前記刈払機本体と、を備える
刈払機。
【請求項１４】
刈払機本体の駆動軸と一体に回転する支持ケースに対して、着脱自在に装着されるボビンであって、
筒状のボビン本体と、
前記支持ケースに対して着脱自在に当接するように設けられた前記ボビン本体の内周面と、
前記内周面とは反対側を向き、可撓性の線状カッターが巻き付けられるように設けられた前記ボビン本体の外周面と、を備え、
前記ボビン本体は、前記支持ケースに装着された状態で、前記支持ケースに対して弾性的に押し当る複数の弾性体を、更に有する
ボビン。
【請求項１５】
刈払機本体の駆動軸と一体に回転する支持ケースに対して、着脱自在に装着されるボビンであって、
筒状のボビン本体と、
前記支持ケースに対して着脱自在に当接するように設けられた前記ボビン本体の内周面と、
前記内周面とは反対側を向き、可撓性の線状カッターが巻き付けられるように設けられた前記ボビン本体の外周面と、
前記ボビン本体の上部分から径方向外側に延出された複数の上側突部と、を備え、
前記複数の上側突部のうち少なくとも二つの上側突部には、前記線状カッターの端部を引っ掛けるための引掛溝が形成されている
ボビン。
【請求項１６】
刈払機本体の駆動軸と一体に回転する支持ケースに対して、着脱自在に装着されるボビンであって、
筒状のボビン本体と、
前記支持ケースに対して着脱自在に当接するように設けられた前記ボビン本体の内周面と、
前記内周面とは反対側を向き、可撓性の線状カッターが巻き付けられるように設けられた前記ボビン本体の外周面と、
前記ボビン本体の下部分から径方向外側に延出された複数の下側突部と、を備え、
前記複数の下側突部のうち少なくとも一つの下側突部に、前記線状カッターを挿し通してその中央部分を引っ掛けるための引掛孔が形成されている
ボビン。
【請求項１７】
刈払機本体の駆動軸と一体に回転する支持ケースに対して、着脱自在に装着されるボビンであって、
筒状のボビン本体と、
前記支持ケースに対して着脱自在に当接するように設けられた前記ボビン本体の内周面と、
前記内周面とは反対側を向き、可撓性の線状カッターが巻き付けられるように設けられた前記ボビン本体の外周面と、
前記ボビン本体から径方向外側に延出された複数の突部と、
前記ボビン本体が前記支持ケースに装着された状態で、前記支持ケースの前記外周面に対して弾性的に押し当る弾性体と、
前記弾性体が径方向外側に撓むことを許容する溝と、を備え、
前記弾性体及び前記溝は、前記複数の突部のうち対応する突部の径方向内側に位置する
ボビン。
【発明の詳細な説明】
【技術分野】
【０００１】
本開示は、回転体、刈払機及びボビンに関する。
【背景技術】
【０００２】
従来、ナイロン等から成る線状カッターを用いて草刈り作業を行うことが行われている。このような草刈り作業を行うには、線状カッターが取り付けられた回転体を、刈払機本体の駆動軸に連結させ、回転体を駆動軸と共に回転させる。これにより、回転体から径方向外側に引き出された線状カッターの先端部で、周囲の草を切断することができる（例えば、国際公開第２０１５／０３７０３０号を参照。）。【０００３】
上記した回転体においては、線状カッターの先端部が徐々に摩耗していくため、線状カッターが摩耗するとその線状カッターを回転体から取り外し、新たな線状カッターを回転体に取り付ける必要がある。
【発明の開示】
【０００４】
本開示は、線状カッターを長期間に亘って使用することができ、線状カッターを交換するときにはその作業を簡単に行うことができる回転体、刈払機及びボビンを提供することを、目的とする。
【０００５】
本開示の一態様に係る回転体は、支持ケースと、ボビンとを備える。前記支持ケースは、刈払機本体の駆動軸に連結され、前記駆動軸と一体に回転する。前記ボビンは、前記支持ケースに着脱自在に装着され、前記駆動軸及び前記支持ケースと一体に回転する。前記支持ケースは、その内部に前記駆動軸が挿し通される筒状部と、前記筒状部の下部から径方向外側に延出されたフランジ部と、前記フランジ部に貫通形成された複数の引出し孔と、を有する。前記ボビンは、前記筒状部の外周面に対して着脱自在に当接する内周面と、前記内周面とは反対側を向き、可撓性の線状カッターが巻き付けられる外周面と、を有する。前記ボビンは、前記内周面が前記筒状部の前記外周面と当接するように前記筒状部に装着された状態で、前記外周面に巻き付けられた前記線状カッターの両端部が、前記複数の引出し孔のうち二つの引出し孔を通じて、径方向外側に引き出されるように構成されている。
【０００６】
本開示の一態様に係る刈払機は、前記回転体と、前記回転体が連結される前記駆動軸を有する前記刈払機本体と、を備える。
【０００７】
本開示の一態様に係るボビンは、刈払機本体の駆動軸と一体に回転する回転体に対して、着脱自在に装着されるボビンであって、筒状のボビン本体と、前記回転体に対して着脱自在に当接するように設けられた前記ボビン本体の内周面と、前記内周面とは反対側を向き、可撓性の線状カッターが巻き付けられるように設けられた前記ボビン本体の外周面と、を備える。
【図面の簡単な説明】
【０００８】
【図１】図１は、一実施形態の回転体に線状カッターが巻き付けられた上面図である。
【図２】図２は、同上の回転体が備える支持ケースの上面図である。
【図３】図３は、図２のＡ−Ａ線断面図である。
【図４】図４は、同上の回転体が備えるボビンに線状カッターが巻き付けられた上面図である。
【図５】図５は、同上のボビンに線状カッターが巻き付けられた下面図である。
【図６】図６は、同上のボビンの上面図である。
【図７】図７は、図６のＢ−Ｂ線断面図である。
【図８】図８は、図６のＣ矢視図である。
【図９】図９は、同上の回転体を備えた刈払機の斜視図である。
【図１０】図１０は、同上の回転体と回転刃を備えた刈払機の斜視図である。
【図１１】図１１は、同上の回転体の変形例に線状カッターが巻き付けられた上面図である。
【発明を実施するための形態】
【０００９】
（一実施形態）
本開示を、添付図面に示す実施形態に基づいて説明する。
【００１０】
図１には、一実施形態の回転体１を示している。回転体１には線状カッター８が巻き付けられている。回転体１は、刈払機本体９０に装着された状態で、草刈りに用いられる（図９等参照）。
【００１１】
一実施形態の回転体１は、刈払機本体９０の駆動軸９０５（図３参照）に連結される接地体１０である。刈払機本体９０と回転体１（つまり接地体１０）とで、刈払機９が構成される。
【００１２】
刈払機本体９０は、主軸部９０２と、主軸部９０２の先端部に設けられたギアボックス９０３と、ギアボックス９０３から突出した駆動軸９０５（図３参照）とを備える。主軸部９０２の途中にはハンドル９０７が設けられている。主軸部９０２の後端部分には、駆動源であるエンジン９０８が搭載されている。駆動源として、エンジン９０８の代わりにバッテリーが搭載されてもよい。
【００１３】
駆動源（つまりエンジン９０８）の出力が駆動軸９０５にまで伝達されることで、回転体１が駆動軸９０５と一体に回転駆動される。回転体１は、地表面に接触しながら安定的に回転することができ、回転体１の外側面から引き出された合成樹脂製の線状カッター８の両端部８１，８２によって、草刈りが行われる。線状カッター８は、例えばナイロンコードである。線状カッター８の表面には、螺旋状の凹凸が形成されていることが好ましい。
【００１４】
回転体１は、平面視において円形状の外形を有する支持ケース２（図２、図３等参照）と、平面視において環状の外形を有するボビン３（図４から図８等参照）とを備える。ボビン３には、可撓性の線状カッター８が巻き付けられている。ボビン３は、上方に開口した支持ケース２に対して、支持ケース２の上方から着脱自在に装着される。言い換えれば、ボビン３は、線状カッター８が巻き付けられたカートリッジである。
【００１５】
上記の平面視は、回転体１を上方から見たときを意味する。本開示において用いる上下等の各方向は、実際の使用時において回転体１の中心軸Ｃ１（図３、図９参照）が鉛直方向に伸びるようにセットされた場合を、基準とする。
【００１６】
まず、支持ケース２について詳細に説明する。
【００１７】
支持ケース２は、刈払機本体９０の駆動軸９０５に連結され、駆動軸９０５と一体に回転するように構成されている。支持ケース２は、筒状に形成された筒状部２１と、筒状部２１の下部２１２から径方向外側に延出された椀状のフランジ部２３と、筒状部２１の上部２１１に連結された金具２８とを有する。筒状部２１の下部２１２は、より具体的には筒状部２１の下端部である。本開示においては、回転体１の中心軸Ｃ１を基準として、径方向外側とこれとは反対の径方向内側とを定義する。回転体１の中心軸Ｃ１は、すなわち支持ケース２及びボビン３の中心軸である。更に、本開示においては、回転体１の中心軸Ｃ１を基準として、周方向及び軸方向を定義する。
【００１８】
筒状部２１、フランジ部２３及び金具２８について、順に説明する。
【００１９】
筒状部２１は、合成樹脂材料で成形された円筒状の部分であり、内周面２１Ａと外周面２１Ｂとを有する。内周面２１Ａと外周面２１Ｂとは、互いに反対側を向く面である。筒状部２１の内部空間は、下方に解放されている。筒状部２１の上部２１１には、平面視において環状の金具２８が、インサート成形によって強固に連結されている。筒状部２１の上部２１１は、より具体的には筒状部２１の上端部である。
【００２０】
外周面２１Ｂには、ボビン３を乗せることができる環状の段部２１４と、ボビン３の着脱をガイドすることができる複数の縦溝２１８とが形成されている。
【００２１】
筒状部２１は、段部２１４を境にして、上筒部２１３とこれよりも外径が大きな下筒部２１５とに区分される。上筒部２１３の外周面が、筒状部２１の外周面２１Ｂの上部を構成し、下筒部２１５の外周面が、筒状部２１の外周面２１Ｂの下部を構成する。複数の縦溝２１８は、上筒部２１３の外周面において周方向に距離をあけて形成された四つの縦溝２１８である。各縦溝２１８は、半円形の開口断面を有する。
【００２２】
フランジ部２３は、筒状部２１の下部２１２の全周に亘る部分から、径方向外側に延出するように、合成樹脂材料で成形されている。フランジ部２３は筒状部２１と一体に成形されている。フランジ部２３は、径方向外側の部分ほど上方に位置するように、全体として椀状に成形されている。
【００２３】
フランジ部２３の下面が、地表面に摺り当たる接地面２３１である。接地面２３１は、滑らかに湾曲した凸曲面である。フランジ部２３の接地面２３１とは反対側を向く面２３２は、滑らかに湾曲した凹曲面である。面２３２には、交換時期にあることを示すための複数の凹部２３３が形成されている。各凹部２３３は非貫通であるが、フランジ部２３がある程度摩耗した段階では、フランジ部２３を貫通するように構成されている。
【００２４】
フランジ部２３の面２３２のうち上下の中間部分には、平面視において環状の段部２３４が形成されている。段部２３４の上面は、筒状部２１の段部２１４の上面よりも、上方に位置する。
【００２５】
フランジ部２３の上部（具体的には、段部２１４よりも上方の部分）には、複数の引出し孔２３０が貫通形成されている。複数の引出し孔２３０は、周方向に距離をあけて形成された四つの引出し孔２３０である。各引出し孔２３０は、線状カッター８を挿し通すことができるように、フランジ部２３を径方向に貫通している。
【００２６】
フランジ部２３の面２３２のうち、段部２３４よりも上方の部分には、複数のガイド部材２３６が設置されている。複数のガイド部材２３６は、四つの引出し孔２３０のそれぞれの径方向内側に設置された四つのガイド部材２３６である。各ガイド部材２３６は、対応する引出し孔２３０と連通するガイド溝２３７を有する。ガイド溝２３７は、周方向の両側に、凸曲面状に湾曲したガイド面２３８を有する。各ガイド部材２３６の一部は、段部２３４よりも径方向内側に突出している。
【００２７】
フランジ部２３の外周面の上部には、その全周に亘って溝２３９が形成されている。溝２３９の底面には、四つの引出し孔２３０のそれぞれの開口が位置している。溝２３９は、回転体１が高速回転したときに線状カッター８がフランジ部２３の外周面に安定的に巻き付くように、線状カッター８をガイドする部分である。
【００２８】
金具２８は、刈払機本体９０の駆動軸９０５が挿し通され、かつ締め付け手段を用いて駆動軸９０５に連結されるように構成された金具である。金具２８は、駆動軸９０５が挿し通される挿通孔２８５をその中央部分に有し、挿通孔２８５を囲む複数の個所に、段付きの貫通孔２８６を有する。貫通孔２８６は、金具２８の上面の、周方向に距離をあけた複数の個所に形成されている。筒状部２１の合成樹脂部分が、各貫通孔２８６に充填されることで、筒状部２１に対して金具２８が強固に連結される。
【００２９】
なお、筒状部２１と金具２８を連結させる手段は、インサート成形に限定されない。筒状部２１と金具２８は、両者が一体に回転するように連結されればよく、圧入、ネジ固定等の他の手段で連結されてもよい。
【００３０】
金具２８の上面のうち、周方向に隣接する貫通孔２８６間の部分には、他より高い当接リブ２８２が形成されている。これらの当接リブ２８２は、駆動軸９０５に取り付けられた受け金具９０６（図３参照）に対して、安定的に当接する。
【００３１】
駆動軸９０５の先端部は、金具２８の挿通孔２８５を通じて下方に突出し、筒状部２１の内部に収容される。駆動軸９０５のうち筒状部２１の内部に収容された部分に対して、筒状部２１の下方からナット９０９が締め付けられる。これより、駆動軸９０５に対して、支持ケース２ひいては回転体１全体が連結される。
【００３２】
次に、ボビン３について詳細に説明する。
【００３３】
ボビン３は、支持ケース２に装着された状態で、駆動軸９０５及び支持ケース２と一体に回転するように構成された合成樹脂製の部材である。ボビン３は円筒状の部材であり、互いに反対側を向く内周面３Ａと外周面３Ｂとを有する。内周面３Ａは、径方向内側を向く凹曲面であり、外周面３Ｂは、径方向外側を向く凸曲面である。
【００３４】
ボビン３は、円筒状であるボビン本体３０と、ボビン本体３０の上部分３０１から径方向外側に延出された複数の突部３１と、ボビン本体３０の下部分３０３から径方向外側に延出された複数の突部３２とを有する。以下において、複数の突部３１を上側突部３１と称し、複数の突部３２を下側突部３２と称する。
【００３５】
ボビン本体３０の内周面が、筒状部２１の外周面２１Ｂに対して着脱自在に当接するように構成された内周面３Ａである。
【００３６】
ボビン本体３０には、径方向内側に向けて突出する複数のガイド部分３６と、周方向において複数のガイド部分３６とは異なる箇所に形成された複数の弾性体３３と、これら複数の弾性体３３のそれぞれの径方向外側に形成された複数の溝３４とが形成されている。複数の弾性体３３は、弾性を有する複数の合成樹脂製の突起体である。複数の弾性体３３は、ボビン本体３０のうち複数の弾性体３３を除いた部分と、一体に成形されている。
【００３７】
複数のガイド部分３６は、ボビン３の筒状部２１への装着をガイドするように構成された複数の突条３６１である。複数の突条３６１は、周方向に距離をあけて位置する四つの突条３６１である。四つの突条３６１のそれぞれの径方向内側を向く面が、内周面３Ａの一部を構成している。四つの突条３６１は、それぞれが軸方向に一直線状に形成されており、互いに平行である。各突条３６１は、筒状部２１が有する四つの縦溝２１８のなかから選択された一つの縦溝２１８に対して、軸方向にスライド自在に嵌まり込むように、断面半円形状に形成されている。
【００３８】
複数の弾性体３３は、周方向に距離をあけて位置する四つの弾性体３３である。ボビン３において、四つの弾性体３３と四つの突条３６１は、周方向において交互に位置する。各弾性体３３は、ボビン３が筒状部２１に装着された状態において、筒状部２１の外周面２１Ｂに対して弾性的に押し当る押圧面３３２を有する。各弾性体３３の押圧面３３２は、内周面３Ａの一部を構成する。言い換えれば、内周面３Ａの一部が、筒状部２１の外周面２１Ｂに対して弾性的に押し当るように構成されている。
【００３９】
各弾性体３３は、上方に起立するように形成された突片状の突起体である（図７参照）。ボビン３が筒状部２１に装着されていない状態において、各弾性体３３の一部（具体的には上側の部分）は、他の部分よりも径方向内側に突出する。この一部の径方向内側を向く面が、外周面２１Ｂに弾性的に押し当る押圧面３３２である。押圧面３３２は、上側の部分ほど径方向内側に位置するように傾斜している。
【００４０】
複数の溝３４は、周方向に距離をあけて位置する四つの溝３４である。四つの溝３４はそれぞれ、四つの弾性体３３のうち対応する弾性体３３の径方向外側に位置し、対応する弾性体３３が径方向外側に撓むことを許容する。各弾性体３３は、自身の径方向外側に溝３４が形成されていることで、径方向外側に撓むことができる。
【００４１】
ボビン本体３０の外周面は、可撓性の線状カッター８が巻き付けられるように構成された外周面３Ｂである。平面視において（言い換えれば、中心軸Ｃ１に沿って見たとき）、複数の上側突部３１と、複数の下側突部３２とは、周方向において交互に位置する。
【００４２】
複数の上側突部３１は、周方向に距離をあけて形成された四つの上側突部３１である。四つの上側突部３１はいずれも矩形平板状の突片であるが、他の形状を有することも可能である。
【００４３】
四つの上側突部３１のそれぞれの径方向外側の端部には、引掛溝３１５が形成されている。引掛溝３１５は、上側突部３１の径方向外側の端部からＬ字型に切り欠かれた形状を有する。引掛溝３１５は、線状カッター８が有する両側の端部８１，８２のうち一方を引っ掛けることができるように構成されている。なお、引掛溝３１５は、四つの上側突部３１のうち少なくとも二つの上側突部３１に形成されていればよい。
【００４４】
図６等に示すように、四つの上側突部３１のそれぞれの径方向内側に、弾性体３３と溝３４とが位置している。言い換えれば、弾性体３３とこれを撓ませるための溝３４とが、四つの上側突部３１のうち対応する上側突部３１の径方向内側に、位置している。一実施形態の回転体１では、四つの上側突部３１の全ての径方向内側に、弾性体３３と溝３４とが位置しているが、四つの上側突部３１のうち少なくとも一つの上側突部３１の径方向内側に、弾性体３３と溝３４とが位置していればよい。
【００４５】
複数の下側突部３２は、周方向に距離をあけて形成された四つの下側突部３２である。四つの下側突部３２はいずれも矩形平板状の突片であるが、他の形状を有することも可能である。
【００４６】
四つの下側突部３２のうち二つの下側突部３２には、それぞれ一対の引掛孔３２５が形成されている。一対の引掛孔３２５は、下側突部３２の径方向内側の端部に貫通形成された一対の丸孔である。一対の引掛孔３２５は、周方向に並んで位置している。一対の引掛孔３２５は、線状カッター８を挿し通してその中央部分８５を引っ掛けることができるように構成されている。なお、一対の引掛孔３２５は、四つの下側突部３２のうち少なくとも一つの下側突部３２に形成されていればよい。
【００４７】
上記した一実施形態の回転体１において、支持ケース２に装着する前段階のボビン３は、図４、図５に示す状態で提供される。つまり、装着前のボビン３では、線状カッター８の中央部分８５が、一対の引掛孔３２５に引っ掛けられ、線状カッター８の中央部分８５を除いた残りの部分が、ボビン３の外周面３Ｂに何重にも巻き付けられている。線状カッター８が巻き付けられる方向は、四つの上側突部３１の少なくとも一つの上面（一実施形態のボビン３では、中心軸Ｃ１を基準として互いに反対側に位置する二つの上側突部３１の上面）に、例えば矢印で表示されている。更に、線状カッター８の両端部８１，８２が、中心軸Ｃ１を基準として互いに反対側に位置する二つの上側突部３１の引掛溝３１５に、それぞれ引っ掛けられている。
【００４８】
ボビン３が、支持ケース２の筒状部２１に対して上方から挿し込まれると、ボビン３が周方向に距離をあけて有する複数の弾性体３３のそれぞれが、筒状部２１の外周面２１Ｂに摺り当たりながら、径方向外側に弾性的に押し込まれる。そのため、支持ケース２にボビン３が装着された状態において、ボビン３は、複数の弾性体３３と筒状部２１との間に働く摩擦力の作用で、支持ケース２に安定的に保持される。言い換えれば、筒状部２１の外周面２１Ｂに対して弾性的に押し当る各弾性体３３が、ボビン３を支持ケース２に保持させるための付勢力を生じさせる。
【００４９】
支持ケース２にボビン３が装着された状態で、線状カッター８の両端部８１，８２は、それぞれ引掛溝３１５から外される。その後に、線状カッター８の両端部８１，８２は、それぞれ対応する引出し孔２３０を通じて、適度な長さだけ外側に引き出される。これにより、ボビン３の外周面３Ｂに何重にも巻き付けられた線状カッター８の両端部８１，８２は、四つの引出し孔２３０のうち二つの引出し孔２３０を通じて、径方向外側に引き出される。
【００５０】
この状態で、刈払機本体９０の駆動軸９０５が、金具２８の挿通孔２８５を通じて、筒状部２１の内部にまで挿し込まれる。筒状部２１の内部において、駆動軸９０５に対してナット９０９が締め付けられることで、駆動軸９０５と支持ケース２とが強固に連結される。図３に示すように、刈払機本体９０のギアボックス９０３は、ボビン３の径方向内側の一部（具体的には、少なくともボビン本体３０の一部）の上方を覆うように位置する。これにより、作業中にボビン３が外れることが抑えられる。
【００５１】
上記した一実施形態の回転体１によれば、線状カッター８のうち引出し孔２３０から引き出されていた部分が摩耗により短くなると、その部分を、他の引出し孔２３０から引き出せばよい。これにより、ボビン３自体は交換せずに、ボビン３に巻き付けられた一本の線状カッター８を長期間に亘って使用することができる。
【００５２】
加えて、一実施形態の回転体１によれば、線状カッター８をボビン３ごと交換するときには、その交換作業を簡単に行うことができる。具体的には、ナット９０９を駆動軸９０５から外し、駆動軸９０５を支持ケース２から引き抜いた後に、ボビン３を手で掴んで簡単に支持ケース２から取り外すことができる。このとき、作業者は、複数の上側突部３１の間のスペースに自身の指を挿し込み、巻き付けられた線状カッター８ごとボビン本体３０を掴むことができる。次いで、別の線状カッター８が巻き付けられた別のボビン３を、支持ケース２に簡単に装着することができる。
【００５３】
交換作業中においては、支持ケース２の姿勢に関わらず（例えば支持ケース２が上下逆の姿勢になっていても）、複数の弾性体３３が及ぼす弾性的な保持力によって、ボビン３は支持ケース２に対して安定的に保持される。そのため、ボビン３が不意に支持ケース２から脱落することが抑えられ、しかも、支持ケース２からボビン３を取り外す作業は容易に行うことができる。
【００５４】
ところで、一実施形態においては、回転体１を駆動軸９０５に対して直接的に連結させているが、回転体１と駆動軸９０５との間に回転刃５を挟み込むことも可能である（図１０参照）。この場合には、駆動軸９０５に取り付けられた受け金具９０６と、支持ケース２が有する金具２８との間に、回転刃５が挟持される。この状態で駆動軸９０５を回転させ、回転体１と回転刃５を一体に回転させることで、線状カッター８による草刈り作業と、回転刃５による草刈り作業とを、同時に行うことが可能である。
【００５５】
（変形例）
以上、本開示を添付図面に示す実施形態に基づいて説明したが、本開示は上記した実施形態に限定されない。
【００５６】
例えば、図１１に示す変形例のように、ボビン３が有する複数のガイド部分３６を、それぞれ凸状ではなく凹状に形成することも可能である。この変形例において、複数のガイド部分３６は、ボビン３の筒状部２１への装着をガイドするように構成された複数の縦溝３６５である。複数の縦溝３６５は、周方向に距離をあけて位置する四つの縦溝３６５であり、それぞれが内周面３Ａの一部を構成している。四つの縦溝３６５は、それぞれが軸方向に一直線状に形成されており、互いに平行である。
【００５７】
この変形例において、筒状部２１の外周面２１Ｂには、ボビン３の着脱をガイドするように構成された複数の突条２１９が形成されている。複数の突条２１９は、上筒部２１３の外周面において周方向に距離をあけて形成された四つの突条２１９である。各突条２１９が、四つの縦溝３６５のなかから選択された一つの縦溝３６５に対して、軸方向にスライド自在に嵌まり込むことで、ボビン３の筒状部２１への装着がガイドされる。
【００５８】
その他の構成についても、本開示の意図する範囲内であれば、適宜の設計変更を行うことが可能である。例えば、上記した各構成の材質は一例に過ぎず、ボビン３を、紙等の樹脂以外の材質で形成してもよいし、支持ケース２を、金属等の樹脂以外の材質で形成してもよい。また、支持ケース２に金具２８を設けないことも可能であり、支持ケース２を地面に接触させずに使用することも可能である。
【００５９】
（態様）
以上、実施形態に基づいて説明したように、第１の態様の回転体（１）は、以下の構成を具備する。第１の態様の回転体（１）は、刈払機本体（９０）の駆動軸（９０５）に連結され、駆動軸（９０５）と一体に回転する支持ケース（２）と、支持ケース（２）に着脱自在に装着され、駆動軸（９０５）及び支持ケース（２）と一体に回転するボビン（３）と、を備える。支持ケース（２）は、その内部に駆動軸（９０５）が挿し通される筒状部（２１）と、筒状部（２１）の下部（２１２）から径方向外側に延出されたフランジ部（２３）と、フランジ部（２３）に貫通形成された複数の引出し孔（２３０）と、を有する。ボビン（３）は、筒状部（２１）の外周面（２１Ｂ）に対して着脱自在に当接する内周面（３Ａ）と、内周面（３Ａ）とは反対側を向き、可撓性の線状カッター（８）が巻き付けられる外周面（３Ｂ）と、を有する。ボビン（３）は、内周面（３Ａ）が筒状部（２１）の外周面（２１Ｂ）と当接するように筒状部（２１）に装着された状態で、外周面（３Ｂ）に巻き付けられた線状カッター（８）の両端部（８１，８２）が、複数の引出し孔（２３０）のうち二つの引出し孔（２３０）を通じて、径方向外側に引き出されるように構成されている。
【００６０】
第１の態様の回転体（１）によれば、複数の引出し孔（２３０）のうちどの二つの引出し孔（２３０）から線状カッター（８）の端部（８１，８２）を引き出すのかを適宜に選択及び変更しながら、ボビン（３）に巻き付けられた線状カッター（８）を、長期間に亘って使用することができる。しかも、線状カッター（８）を交換するときには、ボビン（３）ごと簡単に支持ケース（２）から取り外すことができ、線状カッター（８）の交換作業を簡単に行うことができる。
【００６１】
第２の態様の回転体（１）は、第１の態様の回転体（１）が備える構成に加えて、以下の構成を具備する。第２の態様の回転体（１）において、ボビン（３）は、筒状部（２１）に装着された状態で、筒状部（２１）の外周面（２１Ｂ）に対して弾性的に押し当る弾性体（３３）を、更に有する。
【００６２】
第２の態様の回転体（１）によれば、支持ケース（２）の姿勢に関わらず、複数の弾性体（３３）が及ぼす弾性的な保持力によって、ボビン（３）は支持ケース（２）に対して安定的に保持される。そのため、ボビン（３）が不意に支持ケース（２）から脱落することが抑えられる。しかも、支持ケース（２）からボビン（３）を取り外す作業は、容易に行うことができる。
【００６３】
第３の態様の回転体（１）は、第２の態様の回転体（１）が備える構成に加えて、以下の構成を具備する。第３の態様の回転体（１）において、ボビン（３）は、弾性体（３３）が径方向外側に撓むことを許容する溝（３４）を、更に有する。
【００６４】
第３の態様の回転体（１）によれば、弾性体（３３）が、筒状部（２１）の外周面（２１Ｂ）に当たった状態で径方向外側に撓むことができるので、弾性体（３３）によって、筒状部（２１）に対して適度な弾性力を与えることができる。
【００６５】
第４の態様の回転体（１）は、第２の態様の回転体（１）が備える構成に加えて、以下の構成を具備する。第４の態様の回転体（１）において、ボビン（３）は、弾性体（３３）を周方向に距離をあけて複数有する。
【００６６】
第４の態様の回転体（１）によれば、複数の弾性体（３３）が、筒状部（２１）の外周面（２１Ｂ）のうち周方向に距離をあけた複数箇所に当たるので、ボビン（３）は支持ケース（２）に対して安定的に保持される。
【００６７】
第５の態様の回転体（１）は、第４の態様の回転体（１）が備える構成に加えて、以下の構成を具備する。第５の態様の回転体（１）において、ボビン（３）は、複数の弾性体（３３）のそれぞれが径方向外側に撓むことを許容する複数の溝（３４）を、更に有する。
【００６８】
第５の態様の回転体（１）によれば、複数の弾性体（３３）のそれぞれが、筒状部（２１）の外周面（２１Ｂ）に当たった状態で径方向外側に撓むことができるので、複数の弾性体（３３）によって、筒状部（２１）に対して適度な弾性力を与えることができる。
【００６９】
第６の態様の回転体（１）は、第１から第５のいずれか一つの態様の回転体（１）が備える構成に加えて、以下の構成を具備する。第６の態様の回転体（１）において、ボビン（３）の内周面（３Ａ）には、ボビン（３）の筒状部（２１）への装着をガイドする凸状又は凹状の複数のガイド部分（３６）が設けられている。
【００７０】
第６の態様の回転体（１）によれば、ボビン（３）を筒状部（２１）に装着する作業を容易に行うことができ、しかも、ボビン（３）を筒状部（２１）に装着したときには、複数のガイド部分（３６）が筒状部（２１）の外周面（２１Ｂ）に引っ掛かることによって、筒状部（２１）に対するボビン（３）の周方向の位置決めがなされる。
【００７１】
第７の態様の回転体（１）は、第４又は第５の態様の回転体（１）が備える構成に加えて、以下の構成を具備する。第７の態様の回転体（１）において、ボビン（３）の内周面（３Ａ）には、ボビン（３）の筒状部（２１）への装着をガイドする凸状又は凹状の複数のガイド部分（３６）が設けられている。複数の弾性体（３３）と複数のガイド部分（３６）は、周方向において交互に位置する。
【００７２】
第７の態様の回転体（１）によれば、ボビン（３）を筒状部（２１）に装着する作業を容易に行うことができ、しかも、ボビン（３）を筒状部（２１）に装着したときには、複数のガイド部分（３６）が筒状部（２１）の外周面（２１Ｂ）に引っ掛かることによって、筒状部（２１）に対するボビン（３）の周方向の位置決めがなされる。加えて、ボビン（３）には、複数の弾性体（３３）と複数のガイド部分（３６）を、効率的に配置することができる。
【００７３】
第８の態様の回転体（１）は、第１から第７のいずれか一つの態様の回転体（１）が備える構成に加えて、以下の構成を具備する。第８の態様の回転体（１）において、ボビン（３）は、内周面（３Ａ）及び外周面（３Ｂ）が形成された筒状のボビン本体（３０）と、ボビン本体（３０）の上部分（３０１）から径方向外側に延出された複数の上側突部（３１）と、ボビン本体（３０）の下部分（３０３）から径方向外側に延出された複数の下側突部（３２）と、を更に有する。
【００７４】
第８の態様の回転体（１）によれば、ボビン本体（３０）の外周面（３Ａ）に巻き付けられた線状カッター（８）が、ボビン本体（３０）から不意に外れてしまうことが、複数の上側突部（３１）と複数の下側突部（３２）とによって、効果的に抑えられる。加えて、ボビン（３）を掴むときには、複数の上側突部（３１）の間のスペースに指を挿し込んで、巻き付けられた線状カッター（８）ごとボビン本体（３０）を掴むことができ、また、複数の下側突部（３２）の間のスペースに指を挿し込んで、巻き付けられた線状カッター（８）ごとボビン本体（３０）を掴むことができる。
【００７５】
第９の態様の回転体（１）は、第８の態様の回転体（１）が備える構成に加えて、以下の構成を具備する。第９の態様の回転体（１）においては、ボビン（３）の中心軸（Ｃ１）に沿って見たとき、複数の上側突部（３１）と、複数の下側突部（３２）は、周方向において交互に位置する。
【００７６】
第９の態様の回転体（１）によれば、ビン本体（３０）の外周面（３Ａ）に巻き付けられた線状カッター（８）が、ボビン本体（３０）から不意に外れてしまうことが、周方向に交互に位置する複数の上側突部（３１）と複数の下側突部（３２）とによって、効果的に抑えられる。加えて、上側突部（３１）の数と下側突部（３２）の数を抑えることができる。
【００７７】
第１０の態様の回転体（１）は、第１から第７のいずれか一つの態様の回転体（１）が備える構成に加えて、以下の構成を具備する。第１０の態様の回転体（１）において、ボビン（３）は、内周面（３Ａ）及び外周面（３Ｂ）が形成された筒状のボビン本体（３０）と、ボビン本体（３０）の上部分（３０１）から径方向外側に延出された複数の上側突部（３１）と、を更に有する。複数の上側突部（３１）のうち少なくとも二つの上側突部（３１）には、線状カッター（８）の端部（８１，８２）を引っ掛けるための引掛溝（３１５）が形成されている。
【００７８】
第１０の態様の回転体（１）によれば、ボビン本体（３０）の外周面（３Ａ）に巻き付けられた線状カッター（８）が、ボビン本体（３０）から不意に外れてしまうことが、複数の上側突部（３１）によって、効果的に抑えられる。加えて、ボビン（３）を掴むときには、複数の上側突部（３１）の間のスペースに指を挿し込んで、巻き付けられた線状カッター（８）ごとボビン本体（３０）を掴むことができる。更に、第１０の態様の回転体（１）では、ボビン（３）が支持ケース（２）に装着されていない状態において、線状カッター（８）の両端部（８１，８２）をそれぞれ引掛溝（３１５）に引っ掛け、線状カッター（８）が支持ケース（２）から外れにくい状態に維持することができる。
【００７９】
第１１の態様の回転体（１）は、第１から第７のいずれか一つの態様の回転体（１）が備える構成に加えて、以下の構成を具備する。第１１の態様の回転体（１）において、ボビン（３）は、内周面（３Ａ）及び外周面（３Ｂ）が形成された筒状のボビン本体（３０）と、ボビン本体（３０）の下部分（３０３）から径方向外側に延出された複数の下側突部（３２）と、を更に有する。複数の下側突部（３２）のうち少なくとも一つの下側突部（３２）に、線状カッター（８）を挿し通してその中央部分（８５）を引っ掛けるための引掛孔（３２５）が形成されている。
【００８０】
第１１の態様の回転体（１）によれば、一本の線状カッター（８）の中央部分（８５）を引掛孔（３２５）に引っ掛け、線状カッター（８）の残りの部分をボビン本体（３０）に巻き付けることで、線状カッター（８）をボビン本体（３０）に対して簡単に巻き付けることができる。
【００８１】
第１２の態様の回転体（１）は、第１から第１１のいずれか一つの態様の回転体（１）が備える構成に加えて、以下の構成を具備する。第１２の態様の回転体（１）において、支持ケース（２）は、合成樹脂製の筒状部（２１）と、合成樹脂製のフランジ部（２３）と、筒状部（２１）の上部（２１１）に連結される金具（２８）と、を有する。金具（２８）は、駆動軸（９０５）が挿し通される挿通孔（２８５）を有する。
【００８２】
第１２の態様の回転体（１）によれば、合成樹脂製の筒状部（２１）とフランジ部（２３）を、金具（２８）を介して、駆動軸（９０５）に対して一体に連結させることができる。
【００８３】
第１３の態様の回転体（１）は、第１の態様の回転体（１）が備える構成に加えて、以下の構成を具備する。第１３の態様の回転体（１）において、ボビン（３）は、内周面（３Ａ）及び外周面（３Ｂ）が形成された筒状のボビン本体（３０）と、ボビン本体（３０）から径方向外側に延出された複数の突部（３１）と、ボビン本体（３０）が筒状部（２１）に装着された状態で、筒状部（２１）の外周面（２１Ｂ）に対して弾性的に押し当る弾性体（３３）と、弾性体（３３）が径方向外側に撓むことを許容する溝（３４）と、を更に有する。弾性体（３３）及び溝（３４）は、複数の突部（３１）のうち対応する突部（３１）の径方向内側に位置する。
【００８４】
第１３の態様の回転体（１）によれば、ボビン本体（３０）の外周面（３Ａ）に巻き付けられた線状カッター（８）が、ボビン本体（３０）から不意に外れてしまうことが、複数の突部（３１）によって抑えられる。加えて、弾性体（３３）が、筒状部（２１）の外周面（２１Ｂ）に当たった状態で径方向外側に撓むことができるので、弾性体（３３）によって、筒状部（２１）に対して適度な弾性力を与えることができる。更に、第１３の態様の回転体（１）によれば、弾性体（３３）及び溝（３４）が、対応する突部（３１）の径方向内側に位置することで、ボビン（３）の全体をコンパクトに形成することができる。
【００８５】
第１の態様の刈払機（９）は、第１から第１３のいずれか一つの態様の回転体（１）と、回転体（１）が連結される駆動軸（９０５）を有する刈払機本体（９０）と、を備える。
【００８６】
第１の態様の刈払機（９）によれば、回転体（１）が備える支持ケース（２）の筒状部（２１）に巻き付けられた線状カッター（８）を、長期間に亘って使用することができる。しかも、線状カッター（８）を交換するときには、駆動軸（９０５）から回転体（１）を取り外した状態で、ボビン（３）ごと簡単に支持ケース（２）から取り外すことができ、線状カッター（８）の交換作業を簡単に行うことができる。
【００８７】
第１の態様のボビン（３）は、刈払機本体（９０）の駆動軸（９０５）と一体に回転する支持ケース（２）に対して、着脱自在に装着されるボビン（３）であって、筒状のボビン本体（３０）と、ボビン本体（３０）の内周面（３Ａ）と、ボビン本体（３０）の外周面（３Ｂ）と、を備える。内周面（３Ａ）は、支持ケース（２）に対して着脱自在に当接するように設けられている。外周面（３Ｂ）は、内周面（３Ａ）とは反対側を向き、可撓性の線状カッター（８）が巻き付けられるように設けられている。
【００８８】
第１の態様のボビン（３）によれば、ボビン（３）に巻き付けられた線状カッター（８）を長期間に亘って使用することができ、線状カッター（８）を交換するときには、ボビン（３）ごと簡単に支持ケース（２）から取り外すことで、線状カッター（８）の交換作業を簡単に行うことができる。
【００８９】
第２の態様のボビン（３）は、第１の態様のボビン（３）の構成に加えて、以下の構成を具備する。第２の態様のボビン（３）において、ボビン本体（３０）は、支持ケース（２）に装着された状態で、支持ケース（２）に対して弾性的に押し当る複数の弾性体（３３）を、更に有する。
【００９０】
第２の態様のボビン（３）によれば、複数の弾性体（３３）が及ぼす弾性的な保持力によって、ボビン（３）は支持ケース（２）に対して安定的に保持される。そのため、ボビン（３）が不意に支持ケース（２）から脱落することが抑えられる。しかも、支持ケース（２）からボビン（３）を取り外す作業は、容易に行うことができる。
【要約】
線状カッター（８）を長期間使用することができ、摩耗した線状カッター（８）の交換作業を簡単に行うことができる回転体（１）、刈払機（９）及びボビン（３）を提供する。回転体（１）は、支持ケース（２）とボビン（３）とを備える。支持ケース（２）は、筒状部（２１）と、筒状部（２１）から延出されたフランジ部（２３）と、フランジ部（２３）に貫通形成された複数の引出し孔（２３０）とを有する。ボビン（３）の内周面（３Ａ）は、筒状部（２１）の外周面（２１Ｂ）に着脱自在に当接する。ボビン（３）の外周面（３Ｂ）には、可撓性の線状カッター（８）が巻き付けられる。外周面（３Ｂ）に巻き付けられた線状カッター（８）の両端部（８１，８２）は、複数の引出し孔（２３０）のうち二つの引出し孔（２３０）を通じて、径方向外側に引き出される。【図１】
0006758701.tif 000002
【図２】
0006758701.tif 000003
【図３】
0006758701.tif 000004
【図４】
0006758701.tif 000005
【図５】
0006758701.tif 000006
【図６】
0006758701.tif 000007
【図７】
0006758701.tif 000008
【図８】
0006758701.tif 000009
【図９】
0006758701.tif 000010
【図１０】
0006758701.tif 000011
【図１１】
0006758701.tif 000012